【手続補正書】
【提出日】平成16年8月31日(2004.8.31)
【手続補正１】
【補正対象書類名】明細書
【補正対象項目名】特許請求の範囲
【補正方法】変更
【補正の内容】
【特許請求の範囲】
【請求項１】
ズームレンズと、その像側に配置された撮像範囲を制限する視野絞りとを備えたカメラにおいて、
前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、
前記第２レンズ群が、負のレンズ群と、前記負のレンズ群よりも像側に配置された正のレンズ群とを含み、
次の条件式を満足することを特徴とするズームレンズを備えたカメラ。
０．７０≦ｆｗ／ｈ≦１．３１
０．４０≦｜ｆ２１／ｈ｜≦１．９０
０．１４≦ｄ２／ｈ≦１．２５
但し、ｆｗは広角端の焦点距離、ｈは最大撮影像高であり、前記視野絞りが任意に可変の場合は取り得る範囲における最大値、ｆ２１は第２レンズ群を構成する負のレンズ群の焦点距離、ｄ２は第２レンズ群の最も物体側のレンズ面から第２レンズ群の最も像面側のレンズ面までの距離である。
【請求項２】
ズームレンズと、その像側に配置された撮像範囲を制限する視野絞りとを備えたカメラにおいて、
前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、
前記第２レンズ群が、負のレンズ群と、前記負のレンズ群よりも像側に設けられた正のレンズ群とを含み、
次の条件式を満足することを特徴とするズームレンズを備えたカメラ。
０．４≦｜ｆ３／ｈ｜≦０．８５
３．７≦｜ｆ１／ｆ３｜≦１５．０
０．１４≦ｄ２／ｈ≦０．８１
０．４０≦｜ｆ２１／ｈ｜≦１．４０
但し、ｆ３は第３レンズ群の焦点距離、ｈは最大撮影像高であり、前記視野絞りが任意に可変の場合は取り得る範囲における最大値、ｆ１は第１レンズ群の焦点距離、ｄ２は第２レンズ群の最も物体側のレンズ面から第２レンズ群の最も像面側のレンズ面までの距離、ｆ２１は第２レンズ群を構成する負のレンズ群の焦点距離である。
【請求項３】
ズームレンズと、その像側に配置された撮像範囲を制限する視野絞りとを備えたカメラにおいて、
前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、
前記第２レンズ群が、負のレンズ群と、前記負のレンズ群よりも像側に配置された正のレンズ群とを含み、
次の条件式を満足することを特徴とするズームレンズを備えたカメラ。
０．４≦｜ｆ３／ｈ｜≦０．８５
３．７≦｜ｆ１／ｆ３｜≦１５．０
０．１４≦ｄ２／ｈ≦０．８１
０．１５≦｜（ｆ２×ｆ３）／ｈ2｜≦０．７
但し、ｆ３は第３レンズ群の焦点距離、ｈは最大撮影像高であり、前記視野絞りが任意に可変の場合は取り得る範囲における最大値、ｆ１は第１レンズ群の焦点距離、ｄ２は第２レンズ群の最も物体側のレンズ面から第２レンズ群の最も像面側のレンズ面までの距離、ｆ２は第２レンズ群の焦点距離である。
【請求項４】
ズームレンズと、その像側に配置された撮像範囲を制限する視野絞りとを備えたカメラにおいて、
前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、
次の条件式を満足することを特徴とするズームレンズを備えたカメラ。
０．８０≦ｆｗ／ｈ≦１．２６
０．１４≦ｄ２／ｈ≦１．２５
但し、ｆｗは広角端の焦点距離、ｈは最大撮影像高であり、前記視野絞りが任意に可変の場合は取り得る範囲における最大値、ｄ２は第２レンズ群の最も物体側のレンズ面から第２レンズ群の最も像面側のレンズ面までの距離である。
【請求項５】
ズームレンズと、その像側に配置された撮像範囲を制限する視野絞りとを備えたカメラにおいて、
前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、
前記第３レンズ群が、正パワーの屈折面と、前記正パワーの屈折面よりも像側に配置された負レンズとを含み、
次の条件式を満足することを特徴とするズームレンズを備えたカメラ。
０．７０≦ｆｗ／ｈ≦１．３１
０．１４≦ｄ２／ｈ≦１．２５
但し、ｆｗは広角端の焦点距離、ｈは最大撮影像高であり、前記視野絞りが任意に可変の場合は取り得る範囲における最大値、ｄ２は第２レンズ群の最も物体側のレンズ面から第２レンズ群の最も像面側のレンズ面までの距離である。
【請求項６】
前記ズームレンズが、物体側から順に、前記正パワーの第１レンズ群と、前記正パワーの第２レンズ群と、前記負パワーの第３レンズ群とで構成されていることを特徴とする請求項１に記載のズームレンズを備えたカメラ。
【請求項７】
前記ズームレンズが、物体側から順に、前記正パワーの第１レンズ群と、前記正パワーの第２レンズ群と、前記負パワーの第３レンズ群とで構成されていることを特徴とする請求項２に記載のズームレンズを備えたカメラ。
【請求項８】
前記ズームレンズが、物体側から順に、前記正パワーの第１レンズ群と、前記正パワーの第２レンズ群と、前記負パワーの第３レンズ群とで構成されていることを特徴とする請求項３に記載のズームレンズを備えたカメラ。
【請求項９】
前記ズームレンズが、物体側から順に、前記正パワーの第１レンズ群と、前記正パワーの第２レンズ群と、前記負パワーの第３レンズ群とで構成されていることを特徴とする請求項４に記載のズームレンズを備えたカメラ。
【請求項１０】
前記ズームレンズが、物体側から順に、前記正パワーの第１レンズ群と、前記正パワーの第２レンズ群と、前記負パワーの第３レンズ群とで構成されていることを特徴とする請求項５に記載のズームレンズを備えたカメラ。
【請求項１１】
次の条件式を満足することを特徴とする請求項１、２、４、５、６、７、９、１０のいずれかに記載のズームレンズを備えたカメラ。
０．１５≦｜（ｆ２×ｆ３）／ｈ2｜≦０．７
但し、ｆ２は第２レンズ群の焦点距離、ｆ３は第３レンズ群の焦点距離、ｈは最大撮影像高であり、前記視野絞りが可変の場合は任意に取り得る範囲における最大値である。
【請求項１２】
次の条件式を満足することを特徴とする請求項１、４、５、６、９、１０のいずれかに記載のズームレンズを備えたカメラ。
０．４≦｜ｆ３／ｈ｜≦０．８５
但し、ｆ３は第３レンズ群の焦点距離、ｈは最大撮影像高であり、前記視野絞りが可変の場合は任意に取り得る範囲における最大値である。
【請求項１３】
次の条件式を満足することを特徴とする請求項３又は８に記載のズームレンズを備えたカメラ。
０．４０≦｜ｆ２１／ｈ｜≦１．４０
但し、ｆ２１は第２レンズ群を構成する負のレンズ群の焦点距離、ｈは最大撮影像高であり、前記視野絞りが可変の場合は任意に取り得る範囲における最大値である。
【請求項１４】
前記第２レンズ群が、負のレンズ群と、前記負のレンズ群よりも像側に配置された正のレンズ群とを含むことを特徴とする請求項４、５、９、１０のいずれかに記載のズームレンズを備えたカメラ。
【請求項１５】
次の条件式を満足することを特徴とする請求項１４に記載のズームレンズを備えたカメラ。
０．４０≦｜ｆ２１／ｈ｜≦１．９０
但し、ｆ２１は第２レンズ群を構成する負のレンズ群の焦点距離、ｈは最大撮影像高であり、前記視野絞りが可変の場合は任意に取り得る範囲における最大値である。
【請求項１６】
前記第２レンズ群を構成する前記負のレンズ群が、前記第２レンズ群の最も物体側に配置されていることを特徴とする請求項１、２、３、６、７、８、１４のいずれかに記載のズームレンズを備えたカメラ。
【請求項１７】
前記第２レンズ群を構成する前記負のレンズ群は、物体側に凹面を向けた負レンズを最も物体側に有していることを特徴とする請求項１、２、３、６、７、８、１４のいずれかに記載のズームレンズを備えたカメラ。
【請求項１８】
次の条件式を満足することを特徴とする請求項１、２、３、６、７、８、１４のいずれかに記載のズームレンズを備えたカメラ。
ｄ２Ｆ／ｄ２≦０．６
但し、ｄ２Ｆは第２レンズ群を構成する負のレンズユニットの最も物体側のレンズ面から第２レンズ群を構成する負のレンズユニットの最も像面側のレンズ面までの距離である。
【請求項１９】
前記第２レンズ群を構成する前記負のレンズ群が、１枚の負レンズで構成されていることを特徴とする請求項１８に記載のズームレンズを備えたカメラ。
【請求項２０】
前記第１レンズ群が、物体側の負のレンズ群と、前記物体側の負のレンズ群よりも像側の正のレンズ群とで構成されていることを特徴とする請求項１乃至１９のいずれかに記載のズームレンズを備えたカメラ。
【請求項２１】
前記第１レンズ群を構成する前記負のレンズ群が、物体側に凹面を向けたレンズを最も物体側に配置したことを特徴とする請求項２０に記載のズームレンズを備えたカメラ。
【請求項２２】
次の条件式を満足することを特徴とする請求項２０又は２１に記載のズームレンズを備えたカメラ。
０．８≦｜ｆ１１／ｈ｜≦４．５
但し、ｆ１１は第１レンズ群を構成する負のレンズ群の焦点距離、ｈは最大撮影像高であり、前記視野絞りが可変の場合は任意に取り得る範囲における最大値である。
【請求項２３】
次の条件式を満足することを特徴とする請求項１、４、５、６、９、１０のいずれかに記載のズームレンズを備えたカメラ。
３．７≦｜ｆ１／ｆ３｜≦１５．０
但し、ｆ１は第１レンズ群の焦点距離、ｆ３は第３レンズ群の焦点距離である。
【請求項２４】
次の条件式を満足することを特徴とする請求項１乃至２３のいずれかに記載のズームレンズを備えたカメラ。
０．０３４≦ｄ１２／ｈ≦０．４５０
０．０３４≦ｄ２３／ｈ≦０．４５０
但し、ｄ１２は広角端における第１レンズ群の最も像面側から第２レンズ群の最も物体側までの間隔、ｄ２３は望遠端における第２レンズ群の最も像面側から第３レンズ群の最も物体側までの間隔である。
【請求項２５】
前記第３レンズ群が、正パワーの屈折面と、前記正パワーの屈折面よりも像側に配置された負レンズとを含むことを特徴とする請求項１、２、３、４、６、７、８、９のいずれかに記載のズームレンズを備えたカメラ。
【請求項２６】
次の条件式を満足することを特徴とする請求項１に記載のズームレンズを備えたカメラ。
０．８０≦ｆｗ／ｈ≦１．２６
【請求項２７】
前記ズームレンズが、物体側から順に、前記正パワーの第１レンズ群と、前記正パワーの第２レンズ群と、前記負パワーの第３レンズ群とで構成されていることを特徴とする請求項２６に記載のズームレンズを備えたカメラ。
【請求項２８】
次の条件式を満足することを特徴とする請求項５に記載のズームレンズを備えたカメラ。
０．８０≦ｆｗ／ｈ≦１．２６
【請求項２９】
前記ズームレンズが、物体側から順に、前記正パワーの第１レンズ群と、前記正パワーの第２レンズ群と、前記負パワーの第３レンズ群とで構成されていることを特徴とする請求項２８に記載のズームレンズを備えたカメラ。
【請求項３０】
次の条件式を満足することを特徴とする請求項１に記載のズームレンズを備えたカメラ。
０．６０≦｜ｆ２１／ｈ｜≦１．３０
【請求項３１】
前記ズームレンズが、物体側から順に、前記正パワーの第１レンズ群と、前記正パワーの第２レンズ群と、前記負パワーの第３レンズ群とで構成されていることを特徴とする請求項３０に記載のズームレンズを備えたカメラ。
【請求項３２】
次の条件式を満足することを特徴とする請求項１４に記載のズームレンズを備えたカメラ。
０．６０≦｜ｆ２１／ｈ｜≦１．３０
【請求項３３】
次の条件式を満足することを特徴とする請求項１に記載のズームレンズを備えたカメラ。
０．２０≦ｄ２／ｈ≦０．８０
【請求項３４】
前記ズームレンズが、物体側から順に、前記正パワーの第１レンズ群と、前記正パワーの第２レンズ群と、前記負パワーの第３レンズ群とで構成されていることを特徴とする請求項３３に記載のズームレンズを備えたカメラ。
【請求項３５】
次の条件式を満足することを特徴とする請求項４に記載のズームレンズを備えたカメラ。
０．２０≦ｄ２／ｈ≦０．８０
【請求項３６】
前記ズームレンズが、物体側から順に、前記正パワーの第１レンズ群と、前記正パワーの第２レンズ群と、前記負パワーの第３レンズ群とで構成されていることを特徴とする請求項３５に記載のズームレンズを備えたカメラ。
【請求項３７】
次の条件式を満足することを特徴とする請求項５に記載のズームレンズを備えたカメラ。
０．２０≦ｄ２／ｈ≦０．８０
【請求項３８】
前記ズームレンズが、物体側から順に、前記正パワーの第１レンズ群と、前記正パワーの第２レンズ群と、前記負パワーの第３レンズ群とで構成されていることを特徴とする請求項３７に記載のズームレンズを備えたカメラ。
【請求項３９】
次の条件式を満足することを特徴とする請求項２に記載のズームレンズを備えたカメラ。
０．４５≦｜ｆ３／ｈ｜≦０．８
【請求項４０】
前記ズームレンズが、物体側から順に、前記正パワーの第１レンズ群と、前記正パワーの第２レンズ群と、前記負パワーの第３レンズ群とで構成されていることを特徴とする請求項３９に記載のズームレンズを備えたカメラ。
【請求項４１】
次の条件式を満足することを特徴とする請求項３に記載のズームレンズを備えたカメラ。
０．４５≦｜ｆ３／ｈ｜≦０．８
【請求項４２】
前記ズームレンズが、物体側から順に、前記正パワーの第１レンズ群と、前記正パワーの第２レンズ群と、前記負パワーの第３レンズ群とで構成されていることを特徴とする請求項４１に記載のズームレンズを備えたカメラ。
【請求項４３】
次の条件式を満足することを特徴とする請求項１、４、５、６、９、１０のいずれかに記載のズームレンズを備えたカメラ。
０．４５≦｜ｆ３／ｈ｜≦０．８
但し、ｆ３は第３レンズ群の焦点距離、ｈは最大撮影像高であり、前記視野絞りが可変の場合は任意に取り得る範囲における最大値である。
【請求項４４】
次の条件式を満足することを特徴とする請求項２に記載のズームレンズを備えたカメラ。
３．８≦｜ｆ１／ｆ３｜≦１３．０
【請求項４５】
前記ズームレンズが、物体側から順に、前記正パワーの第１レンズ群と、前記正パワーの第２レンズ群と、前記負パワーの第３レンズ群とで構成されていることを特徴とする請求項４４に記載のズームレンズを備えたカメラ。
【請求項４６】
次の条件式を満足することを特徴とする請求項３に記載のズームレンズを備えたカメラ。
３．８≦｜ｆ１／ｆ３｜≦１３．０
【請求項４７】
前記ズームレンズが、物体側から順に、前記正パワーの第１レンズ群と、前記正パワーの第２レンズ群と、前記負パワーの第３レンズ群とで構成されていることを特徴とする請求項４６に記載のズームレンズを備えたカメラ。
【請求項４８】
次の条件式を満足することを特徴とする請求項１、４、５、６、９、１０のいずれかに記載のズームレンズを備えたカメラ。
３．８≦｜ｆ１／ｆ３｜≦１３．０
但し、ｆ１は第１レンズ群の焦点距離、ｆ３は第３レンズ群の焦点距離である。
【請求項４９】
次の条件式を満足することを特徴とする請求項２に記載のズームレンズを備えたカメラ。
０．６０≦｜ｆ２１／ｈ｜≦１．３０
【請求項５０】
前記ズームレンズが、物体側から順に、前記正パワーの第１レンズ群と、前記正パワーの第２レンズ群と、前記負パワーの第３レンズ群とで構成されていることを特徴とする請求項４９に記載のズームレンズを備えたカメラ。
【請求項５１】
次の条件式を満足することを特徴とする請求項３又は８に記載のズームレンズを備えたカメラ。
０．６０≦｜ｆ２１／ｈ｜≦１．３０
但し、ｆ２１は第２レンズ群を構成する負のレンズ群の焦点距離、ｈは最大撮影像高であり、前記視野絞りが可変の場合は任意に取り得る範囲における最大値である。
【請求項５２】
次の条件式を満足することを特徴とする請求項３に記載のズームレンズを備えたカメラ。
０．２５≦｜（ｆ２×ｆ３）／ｈ2｜≦０．６８
【請求項５３】
前記ズームレンズが、物体側から順に、前記正パワーの第１レンズ群と、前記正パワーの第２レンズ群と、前記負パワーの第３レンズ群とで構成されていることを特徴とする請求項５２に記載のズームレンズを備えたカメラ。
【請求項５４】
次の条件式を満足することを特徴とする請求項１、２、４、５、６、７、９、１０のいずれかに記載のズームレンズを備えたカメラ。
０．２５≦｜（ｆ２×ｆ３）／ｈ2｜≦０．６８
但し、ｆ２は第２レンズ群の焦点距離、ｆ３は第３レンズ群の焦点距離、ｈは最大撮影像高であり、前記視野絞りが可変の場合は任意に取り得る範囲における最大値である。
【請求項５５】
次の条件式を満足することを特徴とする請求項４に記載のズームレンズを備えたカメラ。
０．８５≦ｆｗ／ｈ≦１．２０
【請求項５６】
前記ズームレンズが、物体側から順に、前記正パワーの第１レンズ群と、前記正パワーの第２レンズ群と、前記負パワーの第３レンズ群とで構成されていることを特徴とする請求項５５に記載のズームレンズを備えたカメラ。
【請求項５７】
次の条件式を満足することを特徴とする請求項２０又は２１に記載のズームレンズを備えたカメラ。
０．９５≦｜ｆ１１／ｈ｜≦４．１０
但し、ｆ１１は第１レンズ群を構成する負のレンズ群の焦点距離、ｈは最大撮影像高であり、前記視野絞りが可変の場合は任意に取り得る範囲における最大値である。
【請求項５８】
広角端の全画角２ωが７５°を上回り、且つ、変倍比が２．５倍を上回ることを特徴とする請求項１乃至５７のいずれかに記載のズームレンズを備えたカメラ。